(57)【要約】      （修正有）【課題】イベントの時間ベースの情報が時間の単位を表すグラフィックなダイヤルに表示される時間管理システムを提供する。【解決手段】時間管理システムであって、時計面の少なくとも一部を表し、実質的に円形状を有し、領域外の時間増分の複数の指示を有するダイヤル１０６と、イベントの開始時刻に対応する第１の位置であり、ダイヤルに沿った第１の位置における第１の絵表示と、イベントの終了時刻に対応する第２の位置であって、ダイヤルに沿った第２の位置における第２の絵表示と、ダイヤルの少なくとも一部に沿って延在し、かつイベントの持続時間を表すインジケータと、領域内に位置しかつ領域により囲まれた英数字コンテンツであって、開始時刻、終了時刻、持続時間又はそれらの任意の組み合わせを示す英数字コンテンツを含むＧＵＩを生成し、スクリーンに表示する。【選択図】図１
2020113294.tif 000002
【特許請求の範囲】
【請求項１】
モバイルコンピューティング装置上のアプリケーションによって生成されたグラフィックユーザーインターフェースを備えた時間管理システムであって、
前記グラフィックユーザーインターフェースは前記モバイルコンピューティング装置のタッチセンサ式のディスプレイ上に表示され、実質的に円形のダイヤルを含み、
前記ダイヤルは、外側領域と、前記外側領域によって囲まれた内側領域を有し、
前記外側領域は時間領域を表し、その上に１つ以上のアイコンを表示することで、時間領域のある時刻で発生する、関連した１つ又は複数のイベントを表し、
前記内側領域は、前記外側領域内の１つ以上のアイコンによって表される少なくとも１人のユーザーにより選択されたイベントに関連する情報を表示し、
前記内側領域はさらに、少なくとも１人のユーザーにより選択されたイベントに関連する情報を編集するためのインタラクティブな制御をさらに提供する時間管理システム。
【請求項２】
前記時間領域は１２時間であり、
前記外側領域の周囲に１２時間を明示する請求項１に記載の時間管理システム。
【請求項３】
当日の現在時刻を示す時間インジケータをさらに備え、
前記時間インジケータはダイヤルの外側領域に関連する請求項１に記載の時間管理システム。
【請求項４】
前記ダイヤルの内側領域に表示される情報は次のイベントまでの時間を含む請求項１に記載の時間管理システム。
【請求項５】
モバイルコンピューティング装置上のグラフィックユーザーインターフェースを生成するアプリケーションを備えた時間管理システムであって、
前記グラフィックユーザーインターフェースは、前記モバイルコンピューティング装置のタッチセンサ式のディスプレイ上に表示され、実質的に円形のグラフィックなダイヤルを含み、
前記ダイヤルは、外側領域と、前記外側領域によって囲まれた内側領域を有し、
前記外側領域は時間領域を表し、その１つ以上のアイコンを表示することで、前記時間領域のある時刻で発生する、関連した１つ又は複数のイベントを表し、
前記内側領域は、前記外側領域内の１つ以上のアイコンによって表される、少なくとも１人のユーザーで選択されたイベントに関連する情報を表し、
前記内側領域はさらに、少なくとも１人のユーザーで選択されたイベントに関連する情報を編集するためのインタラクティブな制御を提供する時間管理システム。
【請求項６】
モバイルコンピューティング装置上のアプリケーションによって生成されたグラフィックユーザーインターフェースを備えた時間管理システムであって、
前記グラフィックユーザーインターフェースは前記モバイルコンピューティング装置のタッチセンサ式のディスプレイ上に表示され、実質的に円形のグラフィックなダイヤルを含み、
前記ダイヤルは、外側領域と、前記外側領域によって囲まれた内側領域を有し、
前記外側領域は、１２時間時計のダイヤルを表し、その上に１つ以上のアイコンを表示することで、時間領域のある時刻及び時間期間で発生する関連した１つ又は複数のイベントを表し、
各イベントは開始アイコンと終了アイコンによって指定され、
前記開始アイコンは前記アプリケーションによって１２時の位置にグラフィックユーザーインターフェースにおいて発生し、前記イベントの午後又は午前の開始時刻を指定するためにグラフィックなダイヤル上で時計回り又は反時計回りで移動可能である時間管理システム。
【請求項７】
前記イベントに関連付けられた終了アイコンは、最初に開始アイコンから離間され後、グラフィックなダイヤル上に表されたイベントの時間期間の表現を調整するためにユーザーによって個別にアクセスするまでグラフィックなダイヤル上の開始アイコンを用いて移動する請求項６に記載の時間管理システム。
【請求項８】
前記内側領域は、前記外側領域内の１つ又は複数のアイコンによって表された少なくとも１人のユーザーで選択されたイベントに関する情報を表示する請求項６に記載の時間管理システム。
【請求項９】
前記内側領域はさらに、少なくとも１人のユーザーで選択されたイベントに関連する情報を編集するためのインタラクティブな制御を提供する請求項８に記載の時間管理システム。
【請求項１０】
前記グラフィックユーザーインターフェースに表示されたメッセージボタンによって選択可能なメッセージングシステムをさらに備え、
前記メッセージングシステムは、ユーザーが選択したイベントに対する１つ又は複数の招待された者の各々のためのメッセージを生成する請求項６に記載の時間管理システム。
【発明の詳細な説明】
【技術分野】
【０００１】
本明細書に記載の要旨は、パーソナルコンピューティング装置のための時間管理システムに関し、より詳細には、例えばミーティング、電話の発呼、及びタスク等のイベントの時間ベースの情報が時間の単位を表すグラフィックなダイヤルに表示される、時間管理システムのユーザーインターフェースに関する。
【０００２】
関連出願の相互参照
本願は、２０１３年１２月２日に出願され、「ユーザーアクティビティを表現するグラフィックダイヤルを用いたユーザーインターフェース」と題する米国仮特許出願番号第６１／９１０８８２号の優先権を主張し、その内容は、その全体が参照により本明細書に組み込まれる。
【背景技術】
【０００３】
１人１人のすべての人間の行動は時間成分を有する。時間の開始以来、人々は時間管理システムのさまざまな方法を使って日々の活動を体系化してきた。時間の最も早い最も普遍的に認識の表現の１つは、例えば太陽のダイヤルや時計のダイヤルなどの円形ダイヤルである。そのようなインターフェースはまだ広く時間を知るために使用されているが、この近代的な時代に、人々は彼らのスケジュールを構築し、カレンダーで最も頻繁に自分の時間を管理する。
【０００４】
デジタルコンピュータと、グラフィックユーザーインターフェース（ＧＵＩ）の出現以来、パーソナルコンピューティング装置は、コンピューティング装置によって実行されるカレンダーアプリケーション又はカレンダープログラムの形式で個人の時間管理システムを提供する。従来のカレンダーアプリケーションは、テキストの形で時間ベースの情報を受信した後、一般的なカレンダーの直線形式又は表形式でユーザーの活動を表示する。
【発明の概要】
【発明が解決しようとする課題】
【０００５】
しかしながら、従来のカレンダーアプリケーションは、特に、例えばスマートフォンやタブレットコンピュータなどのモバイルコンピューティング装置、及び腕時計、ブレスレットなどの「ウェアラブル」コンピュータに対して、直感ではなく、煩雑で、雑然としている。現在のカレンダーアプリケーションのユーザーインターフェースは、モバイルコンピューティング装置又はウェアラブルコンピュータの表示形式に十分に拡張していない。例えば、トップダウンインターフェースは、ユーザーが表示をスクロールすることなく、完全な一日を表示することはできない。イベントは受信されてテキストとして表示される。モバイルコンピューティング装置上では、例えば、テキストは非常に小さく、かつ読み取りが非常に困難である。また、モバイルコンピューティング装置のための従来のカレンダーはリアルタイムでアプリケーションの通知を持っていない。変更通知は、電子メール応答、テキストメッセージ通知など、他のプログラムに一般的に依存している。その結果として、多くの変更、再スケジュール、又はその他のイベント情報は、多くの場合その情報が失われ、除外され、又は無視される。
【課題を解決するための手段】
【０００６】
この明細書は、コンピューティング装置のための時間管理システムが開示し、ここで、ミーティング、電話の発呼、及びタスク等のイベントに関する時間ベースの情報は、時間の単位を表すグラフィックダイヤルを有するグラフィックユーザーインターフェースに表示される。ダイヤルは好ましくは時計のダイヤルを表現するために、１２時間の時計のダイヤル等の円形であり、ダイヤルの外側領域は時間の単位を表す一方、外側領域によって囲まれたダイヤルの内側領域は、時間の単位に関連するイベントについての情報を提供する。
【０００７】
一態様では、前記時間管理システムは、モバイルコンピューティング装置上のアプリケーションによって生成されたグラフィックユーザーインターフェースを備える。グラフィックユーザーインターフェースは、モバイルコンピューティング装置のタッチセンサ式のディスプレイ上に表示され、実質的に円形のダイヤルを備える。ダイヤルは、外側領域及び外側領域に外接する内側領域を有する。前記外側領域は時間領域を表し、その上に１つ以上のアイコンを表示することで、時間領域のある時刻に発生する関連した１つ又は複数のイベントを表す。前記内側領域は、外側領域における１つ以上のアイコンによって表され、少なくとも１人のユーザーで選択されたイベントに関する情報を表す。前記内側領域は、少なくとも１人のユーザーで選択されたイベントに関連する情報を編集するためのインタラクティブな制御をさらに提供する。
【０００８】
別の態様において、グラフィックユーザーインターフェースは、モバイルコンピューティング装置上のアプリケーションによって生成される。グラフィックユーザーインターフェースは、モバイルコンピューティング装置のタッチセンサ式のディスプレイ上に表示され、実質的に円形のグラフィックダイヤルであって、外側領域及び外側領域に外接する内側領域を有するダイヤルを備える。外側領域は１２時間の時計のダイヤルを表し、その上に１又は複数のアイコンが表示される。時間領域の時刻及び時間期間で発生する関連する１つ又は複数のイベントを表す。各イベントは開始アイコンと終了アイコンによって指定され、アプリケーションによって、１２時の位置にグラフィックユーザーインターフェースに発生する開始アイコンと、グラフィックなダイヤル上で時計回り又は反時計回りで移動することで、それぞれイベントの午前、午後の開始時刻を指定する。
【０００９】
本願要旨の実施例は、本明細書に記載の１つ以上の特徴にかかるシステム及び方法を含むことができるが、これには限定されず、同様に、本明細書で説明した動作を１つ又は複数のマシン（例えば、コンピュータ等）をさせるように動作可能な有形に具現化された機械可読媒体を備える物品を含むことができる。同様に、コンピュータシステムはまた、１つ以上のプロセッサ及び１つ又は複数のプロセッサに結合された１つ以上のメモリを含むようにしてもよい。コンピュータ読み取り可能な記憶媒体を含むことができるメモリは、本明細書に記載した１つ以上の動作を実行するために１つ又は複数のプロセッサを動作させる１つ以上のプログラムを符号化し、格納するなどできる。本願要旨の１つ又は複数の実施例にかかるコンピュータ実装又は実施方法は、単一のコンピューティングシステム、又は複数のコンピューティングシステムに存在する１つ以上のデータプロセッサによって実現することができる。このような複数のコンピューティングシステムを接続することができ、１つ又は複数の接続を介してデータ及び／又はコマンド又は他の指示等を交換することができ、上記接続はネットワークを介した接続を含むがこれらに限定されず、（例えば、インターネット、ワイヤレスワイドエリアネットワーク、ローカルエリアネットワーク、ワイドエリアネットワーク、有線ネットワーク等の）複数のコンピューティングシステムの１つ以上の間の直接接続などを介して接続してもよい。
【００１０】
本明細書中に記載の要旨の１つ以上の変形例の詳細は、添付の図面及び以下の説明に記載されている。本明細書に記載の要旨の他の特徴及び利点は、以下の説明及び図面から、及び特許請求の範囲から明らかになるであろう。本願で開示される要旨のいくつかの特徴は、エンタープライズリソースソフトウェアシステム又は他のビジネスソフトウェアソリューション又はアーキテクチャに関連した例示の目的で記載されているが、容易にそのような特徴は、限定を意図するものではないことを理解すべきである。本開示は以下の特許請求の範囲は、保護された要旨の範囲を定義することを意図している。
【００１１】
添付の図面は本明細書に組み込まれ、本明細書の一部を構成している、本明細書で開示される要旨の特定の態様を示し、詳細説明と共に、開示された実施例に関連付けられた原則のいくつかを説明するのに役立つ。
【図面の簡単な説明】
【００１２】
【図１】本明細書に記載の要旨のいくつかの実施例にかかる、時間管理システム１００を示す。
【図２Ａ】本明細書に記載の実施例にかかる時間管理システム２００のいくつかの基本的な特徴を示す図である。
【図２Ｂ】本明細書に記載の実施例にかかる時間管理システム２００のいくつかの基本的な特徴を示す図である。
【図２Ｃ】本明細書に記載の実施例にかかる時間管理システム２００のいくつかの基本的な特徴を示す図である。
【図２Ｄ】本明細書に記載の実施例にかかる時間管理システム２００のいくつかの基本的な特徴を示す図である。
【図２Ｅ】本明細書に記載の実施例にかかる時間管理システム２００のいくつかの基本的な特徴を示す図である。
【図３】時間管理システムのアプリケーションプログラムのホーム画面を示す図である。モバイルコンピューティング装置上で実行しているモバイルアプリケーションとして実施例される。
【図４Ａ】様々な特徴及び時間管理システムの機能を示す。
【図４Ｂ】様々な特徴及び時間管理システムの機能を示す。
【図４Ｃ】様々な特徴及び時間管理システムの機能を示す。
【図４Ｄ】様々な特徴及び時間管理システムの機能を示す。
【図４Ｅ】様々な特徴及び時間管理システムの機能を示す。
【図４Ｆ】様々な特徴及び時間管理システムの機能を示す。
【図４Ｇ】様々な特徴及び時間管理システムの機能を示す。
【図４Ｈ】様々な特徴及び時間管理システムの機能を示す。
【図４Ｉ】様々な特徴及び時間管理システムの機能を示す。
【図４Ｊ】様々な特徴及び時間管理システムの機能を示す。
【図４Ｋ】様々な特徴及び時間管理システムの機能を示す。
【図４Ｌ】様々な特徴及び時間管理システムの機能を示す。
【図４Ｍ】様々な特徴及び時間管理システムの機能を示す。
【図４Ｎ】様々な特徴及び時間管理システムの機能を示す。
【図５】モバイルアプリケーションのグラフィックユーザーインターフェースのビューを切り替える機能を示す。
【図６】いくつかの実施例にかかる時間管理システムのインターフェースを示す。
【図７】いくつかの実施例にかかる時間管理システムの別のインターフェースを示す。
【図８】いくつかの実施例形態に応じて、時間管理システムの更に他のインターフェースを示す。
【発明を実施するための形態】
【００１３】
実際において、同様の参照番号は同様の構造、機能、又は要素を示す。
【００１４】
現在利用可能な解決策を有する前記問題に対処するために、本願要旨の１つ又は複数の実施形態にかかる方法、システム及び製造品は、他の可能な利点の中で、コンピュータ実施時間管理システムのユーザーインターフェースにおけるダイヤルのグラフィック表現を提供する。ダイヤルは時間の単位を表し、好ましい実施では従来の１２時間の時計の面を表すか、もしくは腕時計のダイヤルを表す。例えばミーティング、電話の発呼及びタスク等のイベントのような情報は時間単位の時間のポイントに対して相対的にダイヤルにおいて表示される。
【００１５】
特に、この明細書は、コンピューティング装置のための時間管理システムを記載しており、ここで、例えばミーティング、電話の発呼、タスク等のようなイベントのような時間ベースの情報は時間の単位を表すグラフィックなダイヤルを有するグラフィックユーザーインターフェースに表示される。ダイヤルは基準クロックの顔を表現するために、好ましくは例えば１２時間の時計のダイヤルなどの円形である。ダイヤルの外側領域は、１２時間及び／又は１５分刻みなどの時間の単位を表し、外側領域によって囲まれたダイヤルの内側領域は、例えば各イベントの開始時刻及び／又は持続時間などの、時間の単位に関連するイベントについての情報を提供する。
【００１６】
図１は、本明細書に記載の要旨のいくつかの実施例にかかる、時間管理システム１００を示す。時間管理システム１００は、好ましくは例えばモバイルコンピューティング装置又はウェアラブルコンピュータなどのコンピューティング装置１０２で実行されるアプリケーションプログラムとして実現され又は実行され、コンピューティング装置１０２は小型ディスプレイ及びＧＵＩで情報を表示するための制約領域を有する。コンピューティング装置１０２は、タッチスクリーンディスプレイのグラフィックディスプレイ１０４を備える。グラフィックディスプレイ１０４は、グラフィックコンピューティング装置１０２の一部を形成する１つ以上のデータプロセッサによってレンダリングされ、ダイヤル１０６を含む。
【００１７】
ダイヤル１０６は、基準クロックの顔を表現するために、例えば１２時間の時計のダイヤルのように図１に示すように好ましくは円形である。ダイヤル１０６は、グラフィックで例えば１時間及び／又は１２時間などの時間の単位を表す外側領域１０８を含む。ダイヤル１０６は、例えば２４時間など時間の他の単位を表すことができ、時間の単位は、例えば１分、５分、及び／又は１５分など任意の時間単位で表すことができ、時間単位の表示は動的にユーザー入力及び制御に基づいて調整することができる。イベントは、グラフィックで例えば各イベントの開始時刻及び／又は持続時間などを外側領域に表すことができる。ダイヤル１０６は外側領域１０８によって囲まれた内側領域１１０を備える。内側領域１１０は、時間の単位に関連付けられている選択したイベントに関するグラフィック又はテキスト情報を提供する。イベントは、属性のうちのいずれかに基づいて、例えば次のイベント、又は指定された重要度によってなどで選択することができる。外側領域１０８はさらに、例えば微細及び／又は時針のグラフィックな表現として時間帯指示子１１２を含むことができる。
【００１８】
いくつかの実施形態によれば、ダイヤル１０６に関連付けられたイベントは、ミーティング１１２、電話の発呼１１４又は他の通信、タスク１１６の１つであるように指定することができる。例えばタスクタイプ、イベントのミーティングの種類、重要度や緊急度、イベントへの参加者数、イベントカテゴリ（このようなビジネスミーティング、社交イベントなど）、すべき行為のリスト（ｔｏ−ｄｏリスト）又はその他の呼称などの、他の名称又はサブカテゴリを適用することができる、各イベントは、図１に示すように、例えばロゴ、参加者の画像、又はテキスト表現などのようにグラフィックな表現で示すことができ、各イベントは、ダイヤル１０６の外側領域１０８によって表される時間の単位に従って、はっきりと明確にイベントの開始時刻及び時間期間を示しているポインタを用いてイベントの参加者や場所のグラフィックな表現を含む小さな円で示される。
【００１９】
図２Ａ〜図２Ｅは、本明細書に記載の実施例にかかる時間管理システム２００のいくつかの基本的な特徴を示す図である。時間管理システム２００は、図２Ａに示すように、好ましくは円形としてダイヤル２０２のグラフィック表現を含むことができる。図２Ｂに示すように、ダイヤル２０２は、外側境界と内側境界によって画成された外側領域２０４と、外側領域２０４の内側境界の内側のＧＵＩにおける領域としての内側領域２０６とを含む。外側領域２０４の外側境界と内側境界は時間ベースのインターフェース２０８を画成し、その周囲は１２時間などの所定の継続時間を表し、任意の期間を定義することもできる。外側領域２０４で定義された時間又は時間期間は、例えば１時間のような等しい増分でグラフィックに時間増分に細分化することができる。時間ベースのインターフェース２０８は、例えばタッチ感知ディスプレイのタッチセンサ式の領域としてインタラクティブであり、ここで、ユーザーは、彼らの指、スタイラス、又は他の入力実施例により、もしくはダイヤル２０２の表示にタッチすることによりなどにより、入力されたユーザーコマンド及びデータ入力が可能である。
【００２０】
図２Ｃに示すように、外側領域２０４は、グラフィックに時間又は離散的時間増分の単位を表す。時間の単位は秒、分、時間、日、月や時間の他の単位とすることができる。好ましい実施態様では、時間の単位は時間であることができ、図２Ｃに示すように、ダイヤル２０２の外側領域２０４は、１２時間（すなわち、１２時〜１２時）に分けることができる。ダイヤル２０２が表示され、タッチ感知ディスプレイをスワイプするなどのユーザー入力により、時間単位の表示、すなわち、１２時間から２４時間、又は１時間〜１２時間を調整することができる。しかしながら、好ましい実施例において、従来の時計面と一致した時間の外側領域２０４のディスプレイユニット、すなわち、１２時間、さらに１分以上の単位を表すことができる。
【００２１】
図２Ｄは、外側領域２０４の特定の部分内のイベント２１２の位置を示し、それによって表される時間の特定のユニット又は期間に関連付けられている。イベント２１２は、任意のグラフィック表現することができることを含むがこれらに限定されず、画像、アイコン、テキスト、地理的形状、ポインタ、又は任意の他の表現であってもよい。さらに、イベントは、例えばミーティング用の赤、電話の発呼用の黄色、及びタスク用の緑など、イベントのタイプとして色分けすることができる。唯一の３つのイベントタイプにイベントを指定することは、コンテキストをユーザーにより迅速な決意のイベントに視覚的なコンテキストを提供することができる。いくつかの実施例において、イベントを設定する際、ユーザーはテキストを入力でき、時間管理システム２００は、イメージなどのグラフィックデータをテキストに変換することができる。例えば、もしテキストが名前である場合、システム２００は、自動的に自分のコンピューティング装置に関連付けられたメモリに格納されているユーザーの連絡先から名前に関連するプロフィールの写真を引っ張ってくる。もし近くのカフェやコーヒーショップなどのテキストの位置である場合、システム２００は、ロゴや場所の他の絵画的表現のためのインターネットを検索することができる。この方法では、イベントが誰に関係しているか、イベントが発生すべきであることなど、ダイヤルに描かれている任意のイベント２１２に関して、すぐにかつ迅速にユーザーによって識別することができる。
【００２２】
図２Ｅは、ダイヤル２０２の内側領域２０６内に含むことのできる情報を示している。内側領域２０６は、既存のイベントに新しいイベントや編集のためのユーザー入力のための視覚的プロンプトを含むことができ、同様に、ユーザーの次のイベントが発生している時間など既存のイベントに関する情報を含むことができる。内側領域２０６は、ダイヤル２０２を生成し、もしくは、（例えばミーティングの場所など）イベントに関連するアプリケーションに関連付けられるスポンサーにより、マーケティングを提供し、もしくは情報を通知するためにまた用いることができる。
【００２３】
図３は、時間管理システムのアプリケーションプログラムのホーム画面１０を示す。アプリケーションプログラムは、好ましくは「モバイルアプリ」であり、すなわち、モバイルコンピューティング装置にアプリケーションストアなどからダウンロードすることができるアプリケーションプログラムである。このようなモバイルアプリは、具体的にはハードウェアを含む特定のモバイルコンピューティング装置のプラットフォームに合わせて調整され、特定のモバイルコンピューティング装置のプラットフォームは、表示画面、データプロセッサ、及びバッテリーなどのハードウェアと、オペレーティングシステム及びその他のアプリケーションなどのファームウェア及びソフトウェアを含む。ホーム画面１０は、イベントアイコン１を含み、イベントアイコン１はダイヤル内に、ダイヤル上に、もしくはダイヤルの外側領域の近くに表示される。ホーム画面１０はまた、ダイヤルの内側領域内に表示される情報ダイヤル２と、時間の継続する時間期間を表す時間ダイヤル３とを含む。
【００２４】
ホーム画面１０はさらに、発呼（コール）ダイヤル４などの複数のイベントインジケータと、約束ダイヤル５と、タスクダイヤル６とをさらに含む。ここで、イベントインジケータはユーザーが約束ダイヤル５によってスケジュールされる必要がされている電話の発呼、その他の電子通信を表す。約束ダイヤル５は、スケジュール又はユーザーがスケジュールされる必要がされている予定を表す。タスクダイヤル６は、スケジュール又はユーザーがスケジュールされる必要がされているタスクを表す。複数のタスクは、「するべき行為（ｔｏ−ｄｏ）」リスト、期限、リマインダーなどを含むことができる。ホーム画面１０はさらに、リストビュートグル制御７及び時間インジケータ８を含み、後者は時間ダイヤル３に対してその日の現在の時間を示す。これら及び他の特徴の機能は、以下にさらに詳細に説明する。
【００２５】
図４Ａ〜図４Ｎは、モバイルコンピューティング装置上で実行されているモバイルアプリ（以下、アプリという）として実装している時間管理システムのさまざまな特徴と機能を説明する図である。図４Ａに示すように、起動時に、アプリはユーザーに対してログインすることを促す。ログインはアプリで直接行うか、もしくは、Ｆａｃｅｂｏｏｋ（登録商標）、Ｇｏｏｇｌｅ（登録商標）、又は電子メールなどのソーシャルネットワーキングサービス経由することができる。このアプリは、モバイルコンピューティング装置又はリモートからアクセス可能な通信ネットワークによってローカルに格納できるユーザーの連絡先へのアクセスをユーザーに要求する。アプリはこの情報を引っ張った後に、情報はアプリ内からのアクセスと使用のために同期される。
【００２６】
図４Ｂは新しいイベントを生成する機能を示す。ユーザーが新しいイベントを作成するたびに、アプリは、イベントが関連付けられているカテゴリの数のいずれかの定義を促す。いくつかの実施例において、カテゴリは、（電話を含むことができる）ミーティングと、（ユーザーによる物理的な存在を伴う）コンタクト、又はタスクのように定義されている。カテゴリは、カテゴリのタイプの中で区別するために、並びに、アプリが後にダイヤル上の各イベントを表示するときにユーザーによる迅速な識別可能な参照のために、色分けすることができる。
【００２７】
図４Ｃは、指定時刻を示さないアンタイムドインジケータのレンダリングを示している。インターフェースの下部のインジケータは、ユーザー入力から作成されたアプリが、特定の日付や時間を割り当てずにイベントを表示する。ユーザーがインジケータをタップすると、アプリは人を表すアイコン４０２を明らかにしたり、イベントに指定されたユーザーを配置する。拡張したインジケータにユーザーの注意を集中するように、このアプリは、ＧＵＩの背景をぼかすことができる。図４Ｄは、イベントを強調表示する処理を示している。アプリは、好ましくはダイヤルの外側領域の内部又は外側領域関連付けられている、画像や他のグラフィックスダイアル上のアイコンを表すことができる。例えば、イベントは、「コンタクト」イベント４０４である場合、アプリは、イベント参加者（複数可）の画像に関連付けられたアイコンを取り込み、このことは自動的にユーザーの連絡先から、もしくは又は新たに獲得した写真を経由してインポートすることができる。イベントは、「ミーティング」のイベント４０６であれば、アプリは、画像やイベントの場所や位置の他のグラフィックな表現を持つアイコンを移入する。グラフィックな表現は、アイコンとすることができる。画像又はアイコンは予め選択することができ、もしくは地図アプリケーション又は他の地理位置情報機能をアプリケーションプログラミングインターフェース（ＡＰＩ）を介して、アプリケーションによって取得することができる。
【００２８】
図４Ｅ及び図４Ｆは、イベントに連絡先を招待するためのプロセスを示している。ユーザーがイベントに連絡先を追加すると、アプリは、そのイベントに連絡先を招待するプロンプトが表示される。ユーザーが連絡先を招待した場合、アプリはそのとき、好ましくはプッシュメッセージング又は他の電子届出システムを介して招待を通知し、招待を承認又は拒否し、又は異なる時間及び／又は場所を要求するためのオプションを招待された者に提供する。図４Ｆに示すように、アプリによって電子的に受信される招待を招待された者が受け入れたとき、イベントに参加者の独自のダイヤルを移入するために参加者のモバイルコンピューティング装置のローカルアプリと協働調整する。従って、イベントを受け入れた招待された者のみならず、イベントの発生元のユーザーは時間管理システムにより協働調整されて連系される。
【００２９】
図４Ｇに示すように、ユーザーがアイコンをクリックすると、アプリは、イベントに関するユーザー情報を提示する。図４Ｇに示す例では、電話の発呼（コール）が予定されており、アプリは、ダイヤルの内側領域内の「発呼（コール）」ボタンを提示し、これは、呼を開始するためにユーザーによって起動することができる。図４Ｈに示すように、アプリは、ユーザーが「編集」コントロールをアクティブにユーザーによってイベントの詳細を編集して調整できるようにすることができ、次いで、図４Ｉに示すように、ダイヤルの内側領域内で編集されるイベントの詳細を提供することをアプリに指示する。このアプリは、イベントの詳細と一緒にユーザーが選択可能な編集コントロールを提供し、そしてこれにより、ユーザーは、詳細を編集することができる。別の方法として、図４Ｊに示すように、イベントの時間を変更するには、アプリは、ユーザーがイベントを表すアイコンを「保持」できるようにすることができ、単にダイヤルの外側領域によって表される新しい時刻にアイコンを「ドラッグ」する。このアプリは、内側領域の情報ダイヤル内の時間の変化を示し、そして新しい時間を保存するか、キャンセルをユーザーに許可する。
【００３０】
いくつかの実施例において、アプリは、モバイルコンピューティング装置上の１つ又は複数の他のアプリケーションと統合することができる。例えば、アプリは、マッピング又はジオポジショニングアプリケーションなどの位置情報サービスと統合することができる。図４Ｋに示すように、ユーザーは、選択されたミーティングイベント内の地点を入力した場合、１つ以上のロケーションベースの機能は、アプリケーションによって使用可能になる。例えば、アプリは、ミーティングのイベント地点までの距離を計算するために、ジオロケーションサービスを使用することができ、同様に、図４Ｌに示されているように、トラフィック又は他のデータを使用して、目的地までの時間を算出する。地理的位置を使用して、このアプリは、ユーザー時間に対してミーティングを行うことを可能にするため、イベントまでの時間が、アプリによって（動的に再計算又は更新されて）算出された、目的地までの時間の近くに到達しているならばユーザーに警告することができる。図４Ｍに示すように、ユーザーがタスク又はミーティングに設定地点の付近にある場合、アプリケーションは、ユーザーに警告する。その警告は、ダイヤルの内側領域内にアプリケーションによって表示することができる。図４Ｎは、アプリケーションによって生成されたイベントのリスト図を示し、それはアプリを介してユーザーによってナビゲートすることができる。
【００３１】
上述したように、いくつかの実施例において、アプリは、他のサードパーティアプリケーションと統合することができる。サードパーティとの統合は、例えば、アプリを介してサードパーティ製のアプリケーションへのユーザーアクセスとして、ダイヤルの内側領域内にアイコン又は他のユーザー選択可能コントロールで表すことができる。サードパーティアプリケーションによって収集されたデータは、ダイヤル上のアプリケーションによって表示することができる。ビデオミーティング、ｅコマース、メモを取る、ファイル共有、及びクラウドベースのドキュメントストレージなどの、その他の機能はまたアプリとともに、またアプリケーションを介してアクセス可能に統合することができる。
【００３２】
図５は、モバイルアプリケーションのグラフィックユーザーインターフェースのビューを切り替える機能を示す。アプリは、例えば日、週、月、又は時間のいずれかの他の時間期間の間、ディスプレイ上のビューを切り替えることができるように、タッチセンサ式のディスプレイ上の特定のユーザーアクションを解釈する。例えば、ユーザーは、表示を「ピンチ」したり、持続時間の間の視野を調整するための表示を「拡大（又は拡張）」することができる。
【００３３】
図６は、いくつかの実施例にかかる時間管理システムのアプリのグラフィックユーザーインターフェース６００を示す。アプリは、１つ以上のダイヤル６０２を提供する。各ダイヤル６０２は、好ましくは、従来の１２時間時計の顔を表し、又は腕時計のダイヤルを表すためにアプリで表示し、ここで、ダイヤル６０２の外側領域は、時間単位の名称、又は１５分刻みなど他の増分を含む、さらに、ダイヤル６０２は、ダイヤルの外側領域で表される時間領域はが二重の意味や表現を持つことができるように、従来の時計のように時針と分針と関連付けることができる。
【００３４】
ダイヤル６０２の内側領域は、ダイヤル６０２を使用してスケジュールされたイベントに関連する、ミーティング、連絡先、場所に関する情報を表示することができる。ダイヤル６０２の外側領域は、内側リング６０４と外側リング６０６をそれぞれ午前１２時と午後１２時を指定するための１個以上の環を形成することができる。表示された日の以前又は現在スケジュールされたイベントは、が内側リング６０４及び／又は外側リング６０６のセクションとして表示することができる。セクションは、以前又は現在スケジュールされたイベントの持続時間を指定するために、それぞれのリングに沿って延在する。セクションは、例えばコンタクトのための黄色、及びタスクのための緑、ミーティングのために赤などイベントのタイプに関する色分けされるようにイベントの種類に応じてグラフィックに区別されることができる。
【００３５】
ダイヤル６０２上に新しいイベントを設定又は作成するには、アプリは、イベント開始時刻ハンドル６０８と、イベント終了時刻ハンドル６１０を表示する。いくつかの実施例において、アプリは、ダイヤル６０２上の１２時の位置においてイベント開始時刻ハンドルの表示をデフォルトし、イベント終了時刻ハンドル６１０は、イベント開始時刻ハンドル６０８の処理開始イベントから１時間の時間期間（持続時間）で、すなわち１時の位置に表示するようにデフォルト設定される。１２時間ダイヤルを有する１日２４時間利用するために、もしユーザーがイベント開始時刻ハンドル６０８を上記デフォルト位置の片側にもしくは１つの方向で、すなわち左方向又は反時計回りにスワイプ又は移動した場合、アプリは午前としてのイベント開始時刻を表す。もしユーザーがイベント開始時刻ハンドル６０８を反対側又は反対方向で、すなわち時計回りにスワイプ又は移動する場合、アプリは午後としてのイベント開始時刻を表す。イベント終了時刻ハンドル６１０のいずれかはイベント開始時刻ハンドル６０８を左方向又は反時計周りに従って移動し、ここで、デフォルトの継続時間を維持し、もしくはイベント開始時刻ハンドル６０８を右方向又は時計回りに移動するように導く。アプリは、それぞれ予定されている新しいイベントを短くしたり長くするために、イベント終了時刻ハンドル６１０を、イベント開始時刻ハンドル６０８から近いか又は遠いように操作することによって、新しいイベントの持続時間を調整することができる。もしイベント終了時刻ハンドル６１０がイベント開始時刻ハンドル６０８からダイヤル６０２の反対側におかれた場合、イベントは午前から午後にクロスし、又はその逆方向にクロスすることになる。従って、アプリは２４時間の日が指定され、１２時間のダイヤルインターフェースを使用してスケジュール指定することができる。
【００３６】
このアプリは、一週７日としてインターフェース６００内の個々の日を表すことができ、もしくは画面上でスワイプするなどユーザーから１つ以上のコマンドを受信することで、隣接週、月全体、又は隣接する数ヶ月を表示することができる。各個々の日が１つ以上のイベント指定子６１２を含むことができ、イベント指定子６１２は、その日に予定された１つ又は複数のイベントを表す。いくつかの実施例において、指定子６１２は、その日のイベントの数に等しくすることができ、もしくは、単にイベントタイプの存在を表すことができる。以上のように、１つ以上の指定子６１２は、色又はグラフィックアプリで使用されるイベントタイプ指定又は差別化方法と協働して調和させることができる。
【００３７】
図７は、いくつかの実施例にかかる時間管理システムの別のインターフェース７００を示す。アプリは、新しいイベント７０２を設定するためのインターフェース７００を提供する。新しいイベント７０２は、ミーティング、コール、又はタスクなど、イベントタイプ７０４の組から選択することができる。イベントタイプ７０４が選択されると、アプリは、ユーザーが日付７０６を選択し、時刻７０８を選択し、場所７１０を選択し、又はイベントのために７１２を招待する人物を選択することができる。日付７０６、時刻７０８、場所７１０及び人物７１２の選択のそれぞれは、イベントのための場所７１０を選択するために、人物７１２、又は地図アプリケーションを選択するための連絡先リストなどのそのような選択を行うための特定のインターフェースを表示することができる。インターフェース７００はまた、リアクションボタン７１４を介してアクセス可能なノートをとる機能、アラートオプションボタン７１６を介してアクセス可能なアラート機能、繰り返しオプション機能７１８を経由してアクセス可能な機能する繰り返しオプションなどの、他の機能を含むことができる。これらのボタンは、インターフェース上でグラフィックに実装し、又は物理的な入力装置に関連付けることができる。インターフェース７００はまた、スマートフォンのホーム物理的なボタンなどの確認／キャンセルユーザー指示ボタン７２０を含むことができる。
【００３８】
図８は、いくつかの実施例に係る、時間管理システムの更に他のインターフェース８００を示す。インターフェース８００は、実質的に上述したように、ダイヤル８０４上でグラフィックで表すことができるイベント８０２を含む。イベント８０２は、アプリによって発生されるもう１つのインターフェースにおけるダイヤル８０４上でグラフィックで表現されるイベントセットから個別に選択することができる。各イベントのために、アプリは、ノートボタン８０６によってアクセス可能な機能を取るノートを提供している。このアプリは、メッセージングボタン８０８を介してアクセス可能なアプリ内のメッセージング８０８を提供する。メッセージング機能のユーザー選択を用いることは、自動的にすべてのイベントの招待者にアドレス指定され、もしくは最初に取り組まれていないことができるテキストメッセージを受信するためのメッセージングインターフェースを提供することができる一方、ユーザーはメッセージの受信者を含めることができる。アプリ内のメッセージング８０８はまた、自動的に受信者に送信されるメッセージ内の他のイベントに関連する情報を含むことができる。従って、アプリは、イベントのスケジュールと時間管理機能と完全に統合されたメッセージング及びネットワーキング機能を提供する。
【００３９】
インターフェース８００はまた、サマリビューボタン８１０を含むことができ、これにより、ユーザーはアプリケーションによって提供されたイベントの概要ビューにアクセスすることができる。サマリー（概要）ビューは、グラフィック形式又はテキスト形式、もしくはそれらの任意の組み合わせの形式で、イベントに関連するイベントの日付、時間、場所、及び／又は人物を表示することができる。インターフェース８００はさらに、日付、時刻、場所、及び／又は人物、及び／又はイベントタイプのように、イベントの属性を編集するためにユーザーを有効にするイベント編集ボタン８１２を含むことができる。
【００４０】
イベントがユーザーの指示の下でアプリによって形成され又は作成されると、招待される者には招待状が送られる。現時点でモバイルコンピューティング装置上のアプリを持っていない招待される者のために、招待は、招待される者が、モバイルコンピューティング装置にアプリをダウンロードする招待を可能にするためのリンクなどを含めることができる。従って、（イベントの作成者と任意の招待を含む）イベントの参加者は完全に同期アプリを介して一体化されている。今後の招待は唯一のアプリケーションを介して行うことができる。
【００４１】
アプリは１つ以上のダイヤルを表示することができ、１つ以上のダイヤルは異なる人物、異なるエンティティ、異なるプロジェクトなどを指定し又は関連づけることができる。アプリは、グラフィックで表示し選択されたダイヤルを強調表示することで、２つ以上のダイヤルを切り替えるためにユーザーを有効にすることができる。
【００４２】
本明細書で説明される１つ又は複数の態様又は要旨の特徴は、デジタル電子回路、集積回路、特別に設計された特定用途向け集積回路（ＡＳＩＣ）、フィールドプログラマブルゲートアレイ（ＦＰＧＡ）、コンピュータハードウェア、ファームウェア、ソフトウェア、及び／又はそれらの組み合わせで実現することができる。これらの様々な態様又は特徴は、少なくとも１つのプログラム可能又はプログラムされたデータプロセッサを含むプログラマブルシステム上で実行可能な及び／又はインタープリート可能である１つ以上のコンピュータプログラムで実装することを含み、上記データプロセッサはデータ及び命令を受信するように結合されて特殊用途又は汎用用途であることができ、ストレージシステムに少なくとも１つの入力装置、及び少なくとも１つの出力装置にデータ及び命令を送信することができる。プログラマブルシステム又はコンピューティングシステムは、クライアント及びサーバを含むことができる。クライアントとサーバは一般に互いに離れており、典型的には、通信ネットワークを介して対話する。クライアントとサーバの関係は、それぞれのコンピュータ上で実行され、互いにクライアント−サーバの関係を有するコンピュータプログラムによって発生する。
【００４３】
プログラム、ソフトウェア、ソフトウェアアプリケーション、アプリケーション、コンポーネント、又はコードと参照できるこれらのコンピュータプログラムはプログラマブルプロセッサ用の機械命令を含み、ハイレベルの手続き又はオブジェクト指向プログラミング言語で、及び／又はアセンブリ／機械語で実装することができる。本明細書で使用される用語「機械可読媒体」は、プログラマブルプロセッサに機械命令及び／又はデータを提供するために使用される、例えば磁気ディスク、光ディスク、メモリ、プログラマブルロジックデバイス（ＰＬＤ）などの、任意のコンピュータプログラム製品、装置及び／又はデバイスを指し、機械可読信号として機械語命令を受け取る機械可読媒体を含む。「機械読み取り可能な信号」の用語は、プログラマブルプロセッサに機械命令及び／又はデータを提供するために使用される任意の信号を指す。機械可読媒体は、例えば非過渡固体メモリや磁気ハードドライブ、又は同等の記憶媒体と同じであり、非一時的にこのようなマシン命令を格納することができる。機械可読媒体は、代替的又は追加的に一時的な方法で、例えば１つ又は複数の物理プロセッサコアに関連付けられたプロセッサのキャッシュ又は他のランダムアクセスメモリと同様に、このようなマシン命令を格納することができる。
【００４４】
ユーザーとの対話を提供するために、本明細書で説明される１つ又は複数の態様又は要旨の特徴は、ユーザーに対して情報を表示するための例えば陰極線管（ＣＲＴ）、液晶ディスプレイ（ＬＣＤ）や発光ダイオード（ＬＥＤ）などの表示装置と、キーボードと、例えばマウスやトラックボールなどのポインティングデバイスとを有するコンピュータ上で実装することができ、これにより、ユーザーは、コンピュータへの入力を提供することができる。他の種類の装置もユーザーとの対話を提供するために使用される。例えば、ユーザーに提供されるフィードバックは、例えば視覚フィードバック、聴覚フィードバック、又は触覚フィードバックなど、感覚フィードバックの任意の形式とすることができるユーザーからの入力を含み、任意の形態で受信することができるが、他の可能な入力装置としては、これらに限定されず、音響、音声、又は触覚入力であってもよく、単一又はマルチポイント抵抗性又は容量性トラックパッド、音声認識ハードウェア及びソフトウェア、光学スキャナ、光学ポインタ、デジタル画像捕捉装置と関連付けられた解釈ソフトウェア等などのタッチスクリーン又は他のタッチ感知装置を含む。
【００４５】
本明細書に記載の要旨は、所望の構成に応じてシステム、装置、方法、及び／又は物品において具体化することができる。前述の説明に記載された実施例は、本明細書に記載の要旨にかかるすべての実装を表すものではない。その代わりに、それらは単に説明の要旨に関連する側面にかかるいくつかの実施例である。いくつかの変形例を前記詳細な説明において説明してきたが、他の変更や追加が可能である。特に、さらなる特徴及び／又は変形は、本明細書に記載されたものに加えて提供することができる。例えば、上述の実装が開示された特徴の種々の組み合わせ及びサブ組み合わせに向けることができ、及び／又はそれらの組み合わせと、いくつかのさらなる特徴のサブコンビネーションが前記に開示されている。加えて、ロジックは、必ずしも示された特定の順序、又は順番を必要とせず、添付の図面に示された及び／又は本明細書に記載の流れは望ましい結果を達成する。他の実施例は、以下の特許請求の範囲の範囲内であってもよい。
【図１】
2020113294.tif 000003
【図２Ａ】
2020113294.tif 000004
【図２Ｂ】
2020113294.tif 000005
【図２Ｃ】
2020113294.tif 000006
【図２Ｄ】
2020113294.tif 000007
【図２Ｅ】
2020113294.tif 000008
【図３】
2020113294.tif 000009
【図４Ａ】
2020113294.tif 000010
【図４Ｂ】
2020113294.tif 000011
【図４Ｃ】
2020113294.tif 000012
【図４Ｄ】
2020113294.tif 000013
【図４Ｅ】
2020113294.tif 000014
【図４Ｆ】
2020113294.tif 000015
【図４Ｇ】
2020113294.tif 000016
【図４Ｈ】
2020113294.tif 000017
【図４Ｉ】
2020113294.tif 000018
【図４Ｊ】
2020113294.tif 000019
【図４Ｋ】
2020113294.tif 000020
【図４Ｌ】
2020113294.tif 000021
【図４Ｍ】
2020113294.tif 000022
【図４Ｎ】
2020113294.tif 000023
【図５】
2020113294.tif 000024
【図６】
2020113294.tif 000025
【図７】
2020113294.tif 000026
【図８】
2020113294.tif 000027
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
第１の絵表示を表す第１のデータと、第２の絵表示を表す第２のデータとを記憶するように構成されるメモリと、
前記メモリに接続されかつグラフィカルユーザインタフェース（ＧＵＩ）を生成するように構成されたプロセッサとを備えた時間管理システムであって、
前記ＧＵＩは、
時計面の少なくとも一部を表すダイヤルであって、実質的に円形状を有する前記ダイヤルであり、領域外の時間増分の複数の指示を有する前記ダイヤルと、
イベントの開始時刻に対応する第１の位置であって、前記ダイヤルに沿った前記第１の位置における前記第１の絵表示、もしくは前記第１の位置に対して直ぐに隣接する前記第１の絵表示と、
前記イベントの終了時刻に対応する第２の位置であって、前記ダイヤルに沿った前記第２の位置における前記第２の絵表示、もしくは前記第２の位置に対して直ぐに隣接する前記第２の絵表示と、
前記ダイヤルの少なくとも一部に沿って延在し、又は前記ダイヤルの少なくとも一部に対して直ぐに隣接して延在し、かつ前記イベントの持続時間を表すインジケータと、
前記領域内に位置しかつ前記領域により囲まれた英数字コンテンツであって、開始時刻、終了時刻、持続時間、又はそれらの任意の組み合わせを示す前記英数字コンテンツ、もしくはそれらに関連付けられた前記英数字コンテンツとを含み、
前記時間管理システムは、
前記プロセッサに接続され、前記ＧＵＩを表示するように構成されたスクリーンを備える、時間管理システム。
【請求項２】
前記インジケータは、前記第１の位置から、前記ダイヤルの円弧状部分に沿って前記第２の位置まで延在し、
前記スクリーンは、前記英数字コンテンツの表示と同時に時刻を表示するように構成されたタッチスクリーンを含む、請求項１に記載の時間管理システム。
【請求項３】
前記第１の絵表示は、前記開始時刻を示す視覚的コンテンツを有する第１のアイコンを含み、
前記第２の絵表示は、前記終了時刻を示す視覚的コンテンツを有する第２のアイコンを含む、請求項２に記載の時間管理システム。
【請求項４】
前記第１の絵表示及び前記第２の絵表示はそれぞれ、アイコン、画像、プロフィール画像、グラフィック、色、テキスト、ポインタ、ロゴ、グラフィック形状、又は位置の表現のうちの１つ又は複数に対応し、
前記ダイヤルは、複数の時刻指示を含む、請求項１に記載の時間管理システム。
【請求項５】
前記スクリーンは、前記第１の絵表示の位置の変化と、前記第２の絵表示の位置の変化と、又はその両方を示すユーザ入力を受信するように構成される、請求項１記載の時間管理システム。
【請求項６】
前記ユーザ入力は、スワイプ、タップ、ドラッグ、又はそれらの組み合わせに対応し、
前記プロセッサはさらに、前記スクリーンから受信したタッチ入力情報に基づいて、前記第１の絵表示の位置を変更し、前記第２の絵表示の位置を変更し、又はその両方を行う、請求項５に記載の時間管理システム。
【請求項７】
前記ユーザ入力は、前記第１の絵表示の位置の変化、前記第２の絵表示の位置の変化、又はその両方を示し、
前記プロセッサはさらに、前記タッチ入力情報に基づいて前記インジケータを変更するように構成される、請求項６に記載の時間管理システム。
【請求項８】
デバイスのスクリーンにグラフィカルユーザインタフェース（ＧＵＩ）を表示するステップを含む方法であって、
前記ＧＵＩは、
時計面の少なくとも一部を表すダイヤルであって、領域外の時間増分の複数の指示を有する前記ダイヤルと、
前記デバイスのメモリに記憶された第１のデータにより示された第１の絵表示であって、イベントの開始時刻に対応する第１の位置であって、前記ダイヤルに沿った前記第１の位置に位置する前記第１の絵表示、もしくは前記第１の位置に対して直ぐに隣接して位置する前記第１の絵表示と、
前記メモリに記憶された第２のデータによって示された第２の絵表示であって、前記イベントの終了時刻に対応する第２の位置であって、前記ダイヤルに沿った前記第２の位置に位置する前記第２の絵表示、もしくは、前記第２の位置に対して直ぐに隣接して位置する前記第２の絵表示と、
前記ダイヤルの少なくとも一部に沿って延在し、又は前記ダイヤルの少なくとも一部に対して直ぐに隣接して延在するインジケータであって、かつ前記イベントの持続時間を表す前記インジケータと、
前記領域内に位置しかつ前記領域の実質的に円形状によって囲まれた英数字コンテンツであって、開始時刻、終了時刻、持続時間、又はそれらの任意の組み合わせを示す前記英数字コンテンツ、もしくはそれらに関連付けられた前記英数字コンテンツとを含み、
前記方法は、
前記デバイスにおいて入力を受信するステップであって、前記入力は前記第１の絵表示の動きを示すステップと、
前記入力に基づいて前記第１の絵表示の位置を修正するステップとを含む、方法。
【請求項９】
前記位置は、前記ダイヤルの円弧状部分に沿った前記第１の位置から、前記ダイヤルの円弧状部分に沿った第３の位置へ修正される、請求項８に記載の方法。
【請求項１０】
前記方法はさらに、前記第３の位置に対応する時刻に基づいて、前記イベントの開始時刻を更新するステップを含む、請求項９に記載の方法。
【請求項１１】
前記方法はさらに、
前記第３の位置まで延在するように前記インジケータの長さを調整するステップと、
前記調整に基づいて前記持続時間を更新するステップとを含む、請求項９に記載の方法。
【請求項１２】
前記スクリーンを介して、前記第２の絵表示の動きを示すタッチ入力を受信するステップと、
前記タッチ入力に基づいて前記第２の絵表示の位置を修正するステップとを含む、請求項８に記載の方法。
【請求項１３】
前記第２の絵表示の位置は、前記ダイヤルに沿った前記第２の位置から、前記ダイヤルを介して第４の位置へ修正される、請求項１２に記載の方法。
【請求項１４】
前記方法はさらに、
前記第４の位置まで延在するように前記インジケータの長さを調整するステップと、
前記調整に基づいて前記持続時間を更新するステップとを含む、請求項１３に記載の方法。
【請求項１５】
第１の絵表示を示す第１のデータと、第２の絵表示を示す第２のデータとを記憶する手段と、
グラフィカルユーザーインターフェイス（ＧＵＩ）を生成する手段とを備える装置であって、
前記ＧＵＩは、
時計面の少なくとも一部を表すダイヤルであって、実質的に円形状を有する前記ダイヤルであり、領域外の時間増分の複数の指示を有する前記ダイヤルと、
イベントの開始時刻に対応する第１の位置であって、前記ダイヤルに沿った前記第１の位置における前記第１の絵表示、もしくは前記第１の位置に対して直ぐに隣接する前記第１の絵表示と、
前記イベントの終了時刻に対応する第２の位置であって、前記ダイヤルに沿った前記第２の位置における前記第２の絵表示、もしくは前記第２の位置に対して直ぐに隣接する前記第２の絵表示と、
前記ダイヤルの少なくとも一部に沿って延在し、又は前記ダイヤルの少なくとも一部に対して直ぐに隣接して延在し、かつ前記イベントの持続時間を表すインジケータと、
前記領域によって囲まれたテキストであって、開始時刻、終了時刻、持続時間、又はそれらの任意の組み合わせを示す前記テキスト、もしくはそれらに関連付けられた前記テキストとを含み、
前記装置は、
前記ＧＵＩを表示する手段とを備える、装置。
【請求項１６】
前記テキストは、文字と数字の１つ又は両方を含み、
前記ダイヤルは、１５分毎の増分の複数の指示を含む、請求項１５に記載の装置。
【請求項１７】
前記記憶する手段はメモリを備え、
前記生成する手段はプロセッサを備え、
前記表示する手段はモバイルデバイスのタッチセンサ式のディスプレイを備える、請求項１５に記載の装置。
【請求項１８】
複数の命令を記憶する非一時的なコンピュータ可読媒体であって、
前記複数の命令がプロセッサにより実行されたときに、前記複数の命令は前記プロセッサに所定の動作を実行させ、
前記動作は、
デバイスの画面にグラフィカルユーザインタフェース（ＧＵＩ）を表示させることを含み、
前記ＧＵＩは、
時計面の少なくとも一部を表すダイヤルであって、実質的に円形状を有する前記ダイヤルであり、領域外の時間増分の複数の指示を有する前記ダイヤルと、
イベントの開始時刻に対応する第１の位置であって、前記ダイヤルに沿った前記第１の位置における第１の絵表示、もしくは前記第１の位置に対して直ぐに隣接する前記第１の絵表示と、
前記イベントの終了時刻に対応する第２の位置であって、前記ダイヤルに沿った前記第２の位置における第２の絵表示、もしくは前記第２の位置に対して直ぐに隣接する前記第２の絵表示と、
前記ダイヤルの少なくとも一部に沿って延在し、又は前記ダイヤルの少なくとも一部に対して直ぐに隣接して延在し、かつ前記イベントの持続時間を表すインジケータと、
前記領域内に位置しかつ前記領域により囲まれた英数字コンテンツであって、開始時刻、終了時刻、持続時間、又はそれらの任意の組み合わせを示す前記英数字コンテンツ、もしくはそれらに関連付けられた前記英数字コンテンツとを含み、
前記動作は、
前記デバイスで入力を受信することと、
前記入力に基づいて前記第１の絵表示の位置を修正することとを含む、非一時的なコンピュータ可読媒体。
【請求項１９】
前記イベントはタスクに対応し、
前記第１の絵表示及び前記第２の絵表示は、前記タスクのコンテキストを示す、請求項１８に記載の非一時的なコンピュータ可読媒体。
【請求項２０】
第１の絵表示を示す第１のデータと、第２の絵表示を示す第２のデータとを記憶するように構成されたメモリと、
前記メモリに接続され、グラフィカルユーザーインターフェイス（ＧＵＩ）を生成するように構成されたプロセッサとを備える時間管理システムであって、
前記ＧＵＩは、
実質的に円形状のグラフィックなダイヤルと、
イベントに対応する複数のアイコンのセットと、
インジケータと、
英数字コンテンツとを含み、
前記実質的に円形状のグラフィックなダイヤルは１２時間の時計面を有し、
前記実質的に円形状のグラフィックなダイヤルは実質的に円形状の領域外の時間増分の複数の指示を有し
前記複数のアイコンのセットは開始アイコンと終了アイコンとを含み、
前記開始アイコンは、第１の絵表示を含み、前記イベントの開始時刻に対応する第１の位置であって、前記実質的に円形状のグラフィックなダイヤルに沿った第１の位置に位置し、
前記終了アイコンは、第２の絵表示を含み、前記イベントの終了時刻に対応する第２の位置であって、前記実質的に円形状のグラフィックなダイヤルに沿った第２の位置に位置し、
前記インジケータは、前記開始アイコンと前記終了アイコンとの間で前記実質的に円形状のグラフィックなダイヤルの少なくとも一部に沿って延在し、かつ、前記イベントの持続時間を表し、
前記英数字コンテンツは、前記実質的に円形状の領域内に位置しかつ前記実質的に円形状の領域によって囲まれて配置され、前記英数字コンテンツは、前記開始時刻、前記終了時刻、前記持続時間、又はそれらの組み合わせを示し、
前記時間管理システムは、
前記プロセッサに接続され、ＧＵＩを表示するように構成されたタッチスクリーンを備える、時間管理システム。
【外国語明細書】
2020113294000001.pdf